(57)【特許請求の範囲】
【請求項１】
一枚のシール用紙上に離間して設けられ、裏面に粘着剤が塗られた２つののりしろと、該各のりしろと、それぞれミシン目を介して隣接するように設けられた通常価格表示欄とからなるバーコード用値引きシールにおいて、前記通常価格表示欄には該通常価格表示欄を前記のりしろのうち少なくとも一つからミシン目に沿って切り取る為のつまみ部を設け、かつ、前記ミシン目のうち、一方のミシン目はのりしろから切り離し易い粗目に、他方のミシン目はそれよりも切り離し難いが折り曲げが容易な細目のミシン目とし、前記のりしろのうち少なくとも一つの表面には値引き表示欄を設けたことを特徴とするバーコード用値引きシール。
【請求項２】
前記２つののりしろの残りの一方の表面には値下げ価格表示欄を設けてなる請求項１に記載のバーコード用値引きシール。
【請求項３】
一枚のシール用紙上に離間して設けられ、裏面に粘着剤が塗られた２つののりしろと、該各のりしろと、それぞれミシン目を介して隣接するように設けられた通常価格表示欄とからなるバーコード用値引きシールにおいて、前記通常価格表示欄には該通常価格表示欄を前記のりしろのうち少なくとも一つからミシン目に沿って切り取る為のつまみ部を設け、かつ、前記ミシン目のうち、一方のミシン目はのりしろから切り離し易い粗目に、他方のミシン目はそれよりも切り離し難いが折り曲げが容易な細目のミシン目とし、前記のりしろのうち少なくとも一つの表面には値引き表示欄を設けたバーコード用値引きシールを商品に付されたバーコード上に前記通常価格表示欄がバーコードを一部または全部で覆い、かつのりしろはバーコードをスキャンする方向総てに亘って覆い隠さないように貼り付け、バーコード読取装置で読み取る場合にはバーコードを各のりしろの間から露呈させるように前記通常価格表示欄を前記のりしろのうちの少なくとも一つからミシン目に沿って切り取ることを特徴とするバーコード用値引きシールの使用方法。
【請求項４】
前記２つののりしろの残りの一方の表面には値下げ価格表示欄を設けてなる請求項３に記載のバーコード用値引きシールの使用方法。
【発明の詳細な説明】
【０００１】
【発明の属する技術分野】
本発明は商品に価格や値引きなどの情報を付するのに用いて好適な値引きシールに関し、特にバーコードをバーコード読み取り装置で読み取ると同時に値引き値を手入力するのに用いて好適なバーコード用値引きシールとその使用方法に関する。
【０００２】
【従来の技術】
従来、スーパーマーケット等の量販店では商品の包装や容器等に直接印刷またはラベルを介して印刷・貼付したバーコードをバーコード読取装置でスキャンすることによりレジチェックを行っていた。
【０００３】
ところで、これらの店ではロスを少なくする等の目的で頻繁に値引き販売を行うことがある。
【０００４】
この場合、レジチェッカーは値引き商品に赤色などの目立つ表示で「○円値引き」などと表示された値引きシールに着目し、バーコードから入力した通常価格からこの値引き値を差し引くように手でレジ入力していた。
【０００５】
【発明が解決しようとする課題】
ところで、上述した従来技術によれば値引きシールを商品上のバーコードに重ならないように離れた箇所に貼付せざるをえないため、レジチェッカーが値引きシールを見過ごし、値引き品であるにも関わらずバーコードをスキャンしただけで値引き操作をし忘れる事があった。
【０００６】
本発明は上記従来技術の欠点に鑑みなされたもので、本発明の目的は商品が値引き品であるにも関わらずバーコード入力により通常価格で入力されてしまうミスを未然に防止することができる値引きシールとその使用方法を提供することにある。
【０００７】
【課題を解決するための手段】
上記課題を解決する為に本発明が採用する構成の特徴は、一枚のシール用紙上に離間して設けられ、裏面に粘着剤が塗られた２つののりしろと、該各のりしろと、それぞれミシン目を介して隣接するように設けられた通常価格表示欄とからなるバーコード用値引きシールにおいて、前記通常価格表示欄には該通常価格表示欄を前記のりしろのうち少なくとも一つからミシン目に沿って切り取る為のつまみ部を設け、かつ、前記ミシン目のうち、一方のミシン目はのりしろから切り離し易い粗目に、他方のミシン目はそれよりも切り離し難いが折り曲げが容易な細目のミシン目とし、前記のりしろのうち少なくとも一つの表面には値引き表示欄を設けたことにある。
【０００８】
ここで、前記２つののりしろの残りの一方の表面には値下げ価格表示欄を設けるのが好ましい。
【０００９】
また、前記シール用紙は２つののりしろと通常価格表示欄を含む一辺と他の一辺との寸法比が、１：５〜５：１の範囲内にある略長方形状とするのが好ましい。
【００１１】
さらに、本発明によれば一枚のシール用紙上に離間して設けられ、裏面に粘着剤が塗られた２つののりしろと、該各のりしろと、それぞれミシン目を介して隣接するように設けられた通常価格表示欄とからなるバーコード用値引きシールにおいて、前記通常価格表示欄には該通常価格表示欄を前記のりしろのうち少なくとも一つからミシン目に沿って切り取る為のつまみ部を設け、かつ、前記ミシン目のうち、一方のミシン目はのりしろから切り離し易い粗目に、他方のミシン目はそれよりも切り離し難いが折り曲げが容易な細目のミシン目とし、前記のりしろのうち少なくとも一つの表面には値引き表示欄を設けたバーコード用値引きシールを商品に付されたバーコード上に前記通常価格表示欄がバーコードを一部または全部で覆い、かつのりしろはバーコードをスキャンする方向総てに亘って覆い隠さないように貼り付け、バーコード読取装置で読み取る場合にはバーコードを各のりしろの間から露呈させるように前記通常価格表示欄を前記のりしろのうちの少なくとも一つからミシン目に沿って切り取ることを特徴とするバーコード用値引きシールの使用方法も提供される。
【００１２】
ここで、前記２つののりしろの残りの一方の表面には値下げ価格表示欄を設けるのが好ましい。
【００１３】
【作用】
上記構成により、バーコード読み取り装置からバーコード入力をしようとしてもバーコードが値引きシールの通常価格表示欄によって覆い隠されるため商品が値引き品であるにも関わらず通常価格で入力されてしまうミスを未然に防止することができ、一旦読み取りエラーが出たときには通常価格表示欄のつまみ部に爪をかけて引っぱることにより通常価格表示欄を切り取り、以後通常の方法によりバーコード入力することができる。
【００１４】
また、値引き表示欄が同一シール上にコンパクトに表示でき、どれか一つのシール片だけ見落としたりはがれて紛失するような不都合もなく、値下げ後の価格が直感的に判る。
【００１５】
そして、シール上の値引き表示欄上の値引き値を手入力することにより確実に値引き操作を行うことができる。
【００１６】
【発明の実施の形態】
以下に、本発明の実施の形態を図１ないし図１０を用いて説明する。
【００１７】
まず、図１ないし図７は本発明の第１の実施の形態を示し、図中の１Ａはバーコード用値引きシールの基材をなすシール用紙を示し、該シール用紙１Ａは紙または合成樹脂フィルム製の一枚の用紙から後述するのりしろ１Ｂ,１Ｂと通常価格表示欄１Ｄを含む一辺の寸法(図２中のL1)と他の一辺(図２中のL２)との寸法比が１：５〜５：１の範囲内に納まるような略長方形状に形成されている。ここで、「略長方形状」とは後述するつまみ部１Ｆおよびその周辺の形状を除外すれば用紙１Ａの縦横両辺が概略長方形をなすという概念で、Ｌ１：Ｌ２が１：１ (即ち、正方形) の場合も含むものである。
【００１８】
１Ｂ,１Ｂは前記シール用紙１Ａの上下端に離間して設けられたのりしろを示し、該各のりしろ１Ｂの裏面には図２に示すごとく粘着剤１Ｃが塗られている。
【００１９】
１Ｄはシール用紙１Ａの中央部に位置して前記各のりしろ１Ｂとの間にミシン目１Ｅを介して隣接するように画成された通常価格表示欄を示し、該通常価格表示欄１Ｄの表面には図１に示すごとく商品の通常価格が表示されるようになっている。ここで、該通常価格表示欄１Ｄの裏面には前述の各のりしろ１Ｂとは異なり裏面に粘着剤が塗られていない(図２参照)。
【００２０】
１Ｆ,１Ｆは前記通常価格表示欄１Ｄの左右端に設けられたつまみ部を示し、該各つまみ部１Ｆは前記各のりしろ１Ｂの左右両端側のうちミシン目１Ｅに隣接する部分を三角形に切り抜くことにより形成されたものである。
【００２１】
１Ｇは前記のりしろ１Ｂのうち一方の表面に設けられた値引き表示欄、１Ｈは他ののりしろ１Ｂの表面に設けられた値下げ価格表示欄を示し、値引き表示欄１Ｇには値引きである旨の表示と値引きの値を表示し、値下げ価格表示欄１Ｈには値下げ後の価格を表示するようになっている。
【００２２】
本実施形態の値引きシールは以上の構成を有するもので、次にその使用方法について図３ないし図７を用いて説明する。
【００２３】
図中、２は商品に付されたバーコードを示し、該バーコード２はバーコード読みとり装置(図示せず)からスキャナーなどを用いて矢示A-A方向(線条の並び方向)にスキャンされるようになっている。
【００２４】
そして、本実施形態のバーコード用値引きシール１を貼付するには、通常価格表示欄１Ｄがバーコード２を一部(図４)または全部(図３)を覆い、かつ、のりしろ１Ｂはバーコード２をスキャン方向(A-A方向)総てに亘って覆い隠さないように貼付するのである。これには図３、図４に示すような貼付け方法の他に図５に示すような貼付け方であっても良い。
【００２５】
以上に述べた適正な方法でバーコードを覆い隠すように商品３に値引きシール１を貼付した様子を図６に示す。
このようにすれば、もし、レジチェッカーがバーコード読み取り装置からバーコード入力をしようとしてもバーコードが値引きシール１の通常価格表示欄１Ｄで覆い隠されているためバーコードを読み取ることができず、読み取りエラーとなる。
【００２６】
このとき、商品３が値引き商品であることに気づいたレジチェッカーは通常価格表示欄１Ｄのつまみ部１Ｆに爪をかけて引っぱることにより、該つまみ部１Ｆを引き起こし、このつまみ部１Ｆを摘んで図７中の矢示Ｂ方向に引っぱると、通常価格表示欄１Ｄは裏面に粘着剤が塗られていないため、各のりしろ１Ｂからミシン目１Ｅに沿って切り取られ、各のりしろ１Ｂの間からバーコード２が露呈する(図７参照)。
【００２７】
そして、レジチェッカーは通常のバーコード読み取り操作でバーコード入力を行い、ついで値引き表示欄１Ｇ上に表示された値引き値を手入力することにより確実に値引き操作を行うことができる。
【００２８】
特に、本実施形態では一方ののりしろ１Ｂの表面に値引き表示欄１Ｇを設けるとともに、他方ののりしろ１Ｂの表面に値下げ価格表示欄１Ｈを設けたため、図６に示すとおり価格に関する情報が一枚のシール上にコンパクトに表示でき、どれか一つのシール片だけがはがれて紛失したり見落としたりするような不都合を防止するとともに値下げ後の価格が直感的に判る。
【００２９】
また、本実施形態では各のりしろ１Ｂと通常価格表示欄１Ｄの間にそれぞれミシン目１Ｅを合わせて二つ設けたから、各ミシン目１Ｅに沿って通常価格表示欄１Ｄを商品３から容易にむしり取ることができ、通常価格表示欄１Ｄが切り取られた商品は確実に値引きしてレジ入力済みであることが判るため万一のトラブル防止にも役立つ(図６、７参照)。
【００３０】
さらに、本実施形態ではシール用紙１Ａを２つののりしろ１Ｂと通常価格表示欄１Ｄを含む一辺の寸法と他の一辺の寸法比が１：５〜５：１の範囲内に納まるような略長方形状に形成したことにより、以下の効果を発揮する。
即ち、値段を表示するシールはハンドラベラを用いて商品などに貼付するのが一般的である。ここで、ハンドラベラとは長尺の帯状に巻き取られた台紙上に仮着させられたシールを台紙から剥がすようにして繰り出し、物品の表面に押し付けてシールを貼着するする装置である。
【００３１】
然るに、２つののりしろと通常価格表示欄を含む一辺の寸法と他の一辺の寸法比が上記範囲外となるような極端に縦長や横長なシール用紙を用いるとすれば、本発明のシール用紙１Ａは裏面に粘着剤１Ｃの塗られたのりしろ１Ｂと粘着剤の塗られていない通常価格表示欄１Ｄが混在し、さらにのりしろ１Ｂと通常価格表示欄１Ｄの境界には１つ以上(実施の形態１では２つ)のミシン目１Ｅが設けられているためこの部位の折り曲げ強度が弱くなり、従来のハンドラベラではシールが台紙上に仮着しにくかったり、逆に剥がれ難かったりする不都合が生じる。そこで、用いるシール用紙の硬度や粘着剤の粘度、塗布面積などを考慮してハンドラベラ用に適したシール用紙は縦横比が１：５〜５：１の範囲内が好ましいという結論が導かれたのである。
【００３２】
次に本発明の第２、第３の実施の形態について説明するが、以降、前述した第１の実施の形態と同一の構成要素には同一符号を付し、その説明を省略する。
図８は第２の実施の形態を示し、本実施形態の特徴はのりしろ１Ｂと通常価格表示欄１Ｄの２つの境界のうち一方にミシン目１Ｅ１を形成し、他方の境界は折り曲げ線１Ｅ２としたことにあり、特にミシン目１Ｅ１は切れ目を粗くしてのりしろ１Ｂから切り離し易く形成されている。
【００３３】
そして、通常価格表示欄１Ｄをのりしろ１Ｂから切り取るときには人差し指と親指の爪を左右のつまみ部１Ｆにひっかけて摘むようにすればミシン目１Ｅ１だけがのりしろ１Ｂから切り取られるのである。
【００３４】
本実施形態のバーコード用値引きシールは以上の構成を有するものでその基本的な作用において第１の実施形態と格別差違はない。
【００３５】
然るに、本実施形態では通常価格表示欄１Ｄと一方ののりしろ１Ｂの境界を折り曲げ線１Ｅ２としたことにより、レジチェッカーがバーコードを読みとる際に切り取った通常価格表示欄１Ｄが図１０に示す如く一方ののりしろ１Ｂを介して商品３に付着して残り、紙片が散乱するのを防止できるという利点を有する。
【００３６】
次に図９は第３の実施形態を示し、本実施形態の特徴は価格表欄１Ｄと各のりしろ１Ｂの間に形成された２つのミシン目のうち、一方のミシン目１Ｅ１はのりしろ１Ｂから切り離し易い粗目に、他方のミシン目１Ｅは１Ｅ１よりも切り離し難いが折り曲げが容易なように細目のミシン目としたことにある。
【００３７】
本実施形態においても基本的な使用方法および作用効果は第１、第２の実施形態と同様であるが、本実施形態によれば図７の如く通常価格表示欄１Ｄをむしり取ることも、図１０の如く商品３に付着させて残し紙片の散乱防止を図ることも両方可能である。
【００３８】
以上詳述したとおり、本発明の値引きシールを用いれば、レジチェッカーがバーコード読み取り装置からバーコード入力をしようとしてもバーコードが値引きシールの通常価格表示欄で覆い隠されているためバーコードを読み取ることができず、読み取りエラーとなる。
そして、通常価格表示欄を切り取り、各のりしろの間からバーコードを露呈させ、通常のバーコード読み取り操作でバーコード入力を行い、確実に値引き操作を行うことができる。
特に、価格表欄と各のりしろの間に形成された２つのミシン目のうち、一方のミシン目はのりしろから切り離し易い粗目に、他方のミシン目は切り離し難いが折り曲げが容易なように細目としたため、通常価格表示欄をのりしろから切り取るときには人差し指と親指の爪をつまみ部にひっかけて摘むようにすれば片側のミシン目だけがのりしろから切り取られるので、通常価格表示欄をむしり取ることも、商品に付着させて残し紙片の散乱防止を図ることも両方可能である。
そして、通常価格表示欄が切り取られた商品は確実に値引きしてレジ入力済みであることが判るため、トラブル防止にも役立つ、というすぐれた効果を奏する。
【図面の簡単な説明】
【図１】本発明の第１の実施の形態に係る値引きシールを示す平面図である。
【図２】図１のシールの裏面を示す平面図である。
【図３】商品に表示されたバーコードに対して本発明の値引きシールの貼付状態(バーコード全体を遮蔽)の説明図である。
【図４】同上、バーコードの一部を遮蔽する説明図である。
【図５】同上、縦方向に表示されたバーコードに対して本発明の値引きシールの貼付状態の説明図である。
【図６】本発明の値引きシールを商品に貼付した状態を示す説明図である。
【図７】通常価格表示欄を切り取る方法を示す説明図である。
【図８】本発明の第２の実施の形態に係る値引きシールを示す平面図である。
【図９】本発明の第３の実施の形態に係る値引きシールを示す平面図である。
【図１０】第２、第３の実施の形態に係る値引きシールの通常価格表示欄を切り取る方法を示す説明図である。
【符号の説明】
１  バーコード用値引きシール。
１Ｌ  シール用紙
１Ｂ  のりしろ
１Ｃ  粘着剤
１Ｄ  通常価格表示欄
１Ｅ  ミシン目
１Ｆ  つまみ部
１Ｇ  値引き表示欄
１Ｈ  値下げ価格表示欄
２  バーコード
３  商品
【図１】
0004223595.tif 000002
【図２】
0004223595.tif 000003
【図３】
0004223595.tif 000004
【図４】
0004223595.tif 000005
【図５】
0004223595.tif 000006
【図６】
0004223595.tif 000007
【図７】
0004223595.tif 000008
【図８】
0004223595.tif 000009
【図９】
0004223595.tif 000010
【図１０】
0004223595.tif 000011